(57)【要約】【課題】収納部の形状の自由度の高いケーブル収納装置を提供する。【課題を解決するための手段】ケーブル収納装置は第１アップリンク用ケーブル５１ａ１を備える。第１アップリンク用ケーブル５１ａ１を、付勢力に抗して引き出し可能な状態で、付勢力により張架して収納するアップリンク用ケーブル収納部１１を備える。アップリンク用ケーブル収納部１１は、第１アップリンク用ケーブル５１ａ１が張架される第１、第２アップリンク用ローラ１１１ａ、１１２ａと、張架のために第１、第２アップリンク用ローラ１１１ａ、１１２ａを保持する第１、第２アップリンク用バネ１１１Ｓ、１１２Ｓを有する。第１、第２アップリンク用ローラ１１１ａ、１１２ａは、第１アップリンク用ケーブル５１ａ１の引き出し状態に応じて移動し、第１、第２アップリンク用バネ１１１Ｓ、１１２Ｓは、第１、第２アップリンク用ローラ１１１ａ、１１２ａの移動に対応して伸び縮みする。【選択図】図３
2007308277.tif 000002
【特許請求の範囲】
【請求項１】
ケーブルと、
前記ケーブルを、付勢力に抗して引き出し可能な状態で、前記付勢力により張架して収納する付勢部材とを備えることを特徴とするケーブル収納装置。
【請求項２】
前記付勢部材は、前記ケーブルが張架されるローラと、前記張架のために前記ローラを保持する保持部材を有することを特徴とする請求項１に記載のケーブル収納装置。
【請求項３】
前記ローラは、前記ケーブルの引き出し状態に応じて移動し、
前記保持部材は、前記ローラの移動に対応して伸び縮みすることを特徴とする請求項２に記載のケーブル収納装置。
【請求項４】
前記付勢部材は、前記ケーブルの引き出し状態に応じて移動するローラを複数有し、前記複数のローラを保持する複数の保持部材を有することを特徴とする請求項３に記載のケーブル収納装置。
【請求項５】
前記複数の保持部材は、バネであり、前記複数のバネは、異なるバネ定数を有し、前記複数のバネのバネ定数は、配列順に大きくなるように設定されることを特徴とする請求項４に記載のケーブル収納装置。
【請求項６】
前記ケーブルは、前記ローラを介して折り重ねられた状態で、前記付勢部材に収納されることを特徴とする請求項２に記載のケーブル収納装置。
【請求項７】
ハブと、
前記ハブに接続されるＬＡＮケーブルを、付勢力に抗して引き出し可能な状態で前記付勢力により張架して収納する付勢部材を備えたことを特徴とするＬＡＮ接続装置。
【請求項８】
第１、第２ケーブルと、
前記第１ケーブルの一端が固定され、他端が第１付勢力に抗して引き出し可能な状態で、前記第１ケーブルを前記第１付勢力により張架して収納する第１付勢部材と、
前記第２ケーブルの一端が固定され、他端が第２付勢力に抗して引き出し可能な状態で、前記第２ケーブルを前記第２付勢力により張架して収納する第２付勢部材と、
前記第１ケーブルの一端と、前記第２ケーブルの一端とを、接続する接続部とを備えることを特徴とするケーブル収納装置。
【発明の詳細な説明】
【技術分野】
【０００１】
本発明は、ケーブル収納装置に関し、特にケーブルを張架して収納するケーブル収納装置に関する。
【背景技術】
【０００２】
ＬＡＮケーブルなどのケーブルを収納する装置が提案されている。
【０００３】
特許文献１は、ＬＡＮケーブルを収納できるＬＡＮ接続装置を開示する。
【特許文献１】特開２００２−２１７９３１号公報
【発明の開示】
【発明が解決しようとする課題】
【０００４】
しかし、特許文献１の装置は、巻き取りによりＬＡＮケーブルを筐体に収納するため、ＬＡＮケーブルを収納する部分は、巻き取りによる円形を考慮するため、形状に自由度が無かった（略正多角形など）。
【０００５】
したがって本発明の目的は、収納部の形状の自由度の高いケーブル収納装置を提供することである。
【課題を解決するための手段】
【０００６】
本発明に係るケーブル収納装置は、ケーブルと、ケーブルを、付勢力に抗して引き出し可能な状態で、付勢力により張架して収納する付勢部材とを備える。
【０００７】
好ましくは、付勢部材は、ケーブルが張架されるローラと、張架のためにローラを保持する保持部材を有する。
【０００８】
さらに好ましくは、ローラは、ケーブルの引き出し状態に応じて移動し、保持部材は、ローラの移動に対応して伸び縮みする。
【０００９】
さらに好ましくは、付勢部材は、ケーブルの引き出し状態に応じて移動するローラを複数有し、複数のローラを保持する複数の保持部材を有する。
【００１０】
さらに好ましくは、複数の保持部材はバネであり、複数のバネは、異なるバネ定数を有し、複数のバネのバネ定数は、配列順に大きくなるように設定される。
【００１１】
また、好ましくは、ケーブルは、ローラを介して折り重ねられた状態で、付勢部材に収納される。
【００１２】
本発明に係るＬＡＮ接続装置は、ハブと、ハブに接続されるＬＡＮケーブルを、付勢力に抗して引き出し可能な状態で付勢力により張架して収納する付勢部材を備える。
【００１３】
本発明に係るケーブル収納装置は、第１、第２ケーブルと、第１ケーブルの一端が固定され、他端が第１付勢力に抗して引き出し可能な状態で、第１ケーブルを第１付勢力により張架して収納する第１付勢部材と、第２ケーブルの一端が固定され、他端が第２付勢力に抗して引き出し可能な状態で、第２ケーブルを第２付勢力により張架して収納する第２付勢部材と、第１ケーブルの一端と、第２ケーブルの一端とを、接続する接続部とを備える。
【発明の効果】
【００１４】
以上のように本発明によれば、収納部の形状の自由度の高いケーブル収納装置を提供することができる。
【発明を実施するための最良の形態】
【００１５】
以下、本実施形態について、図を用いて説明する。本実施形態におけるＬＡＮ接続装置１は、アップリンク部１０、ハブ２０、及びダウンリンク部３０とを備える（図１参照）。なお、方向を説明するために、ＬＡＮ接続装置１において第１〜第４ダウンリンク用ＬＡＮ端子３３ｂ１〜３３ｂ４が並べられる水平方向を第１方向ｘ、第１方向ｘと直交し第１ダウンリンク用ローラ３１２ｂ１等が移動する鉛直方向を第２方向ｙ、第１方向ｘ及び第２方向ｙと直交する水平方向を第３方向ｚとして説明する。
【００１６】
アップリンク部１０は、ＬＡＮケーブルを介して、ルータ（不図示）などの通信回線の上り方向の通信機器と接続される。アップリンク部１０は、アップリンク用ケーブル収納部１１、アップリンク用ケーブルロック部１２、アップリンク用オス端子１３、アップリンク用メス端子１４、第１アップリンク用ＬＡＮケーブル５１ａ１、及び第２アップリンク用ＬＡＮケーブル５１ａ２を有する。
【００１７】
アップリンク用ケーブル収納部１１は、第１アップリンク用ＬＡＮケーブル５１ａ１を、付勢力に抗して引き出し可能な状態で、付勢力により張架して収納する付勢部材で、第１〜第５アップリンク用ローラ１１１ａ〜１１５ａ、第１、第２アップリンク用バネ１１１Ｓ、１１２Ｓを有する。
【００１８】
アップリンク用ケーブルロック部１２は、第１、第２アップリンク用ローラ１１１ａ、１１２ａ、及び第１、第２アップリンク用バネ１１１Ｓ、１１２Ｓによる第２方向ｙの上方向への付勢力に対応して第１アップリンク用ＬＡＮケーブル５１ａ１の収納動作、及び使用者がアップリンク用オス端子１３、第１アップリンク用ＬＡＮケーブル５１ａ１の少なくとも一方を引っ張り出すことによる第１アップリンク用ＬＡＮケーブル５１ａ１の引き出し動作を止めるロック機構（不図示）と、ロック機構によるロック状態を解除する解除機構（不図示）を有する。ロック機構は、第１アップリンク用ＬＡＮケーブル５１ａ１を挟み込む機構などである。
【００１９】
アップリンク用オス端子１３は、ルータなどの通信回線の上り方向の通信機器のメス端子と接続される。このとき、第１アップリンク用ＬＡＮケーブル５１ａ１は、ＬＡＮ接続装置１と通信機器との距離と略同一分だけアップリンク用ケーブル収納部１１から引き出しされる。
【００２０】
アップリンク用メス端子１４は、別体のＬＡＮケーブル（不図示）の一方のオス端子が接続され、このＬＡＮケーブルの他方のオス端子が、ルータなどの通信回線の上り方向の通信機器のメス端子と接続される。アップリンク用メス端子１４は、第１アップリンク用ＬＡＮケーブル５１ａ１が、通信機器と接続するのに十分な長さを有しない場合などに使用される。本実施形態では、ダウンリンク部３０は、アップリンク用メス端子１４に相当する端子を有しない形態であるが、有しても良い。
【００２１】
第１アップリンク用ＬＡＮケーブル５１ａ１は、ＬＡＮ接続装置１から引き出し及びＬＡＮ接続装置１に収納可能なＬＡＮケーブルで、第１アップリンク用ローラ１１１ａなどによる収納を効果的に行うため、薄い平型形状を有するのが望ましい。第１アップリンク用ＬＡＮケーブル５１ａ１は、収納及び引き出し時に第１アップリンク用ローラ１１１ａなどが摺動自在に回転及び第２方向ｙの移動が出来る程度の固さを有する。
【００２２】
第１アップリンク用ＬＡＮケーブル５１ａ１は、第１〜第５アップリンク用ローラ１１１ａ〜１１５ａに張架され、第１〜第５アップリンク用ローラ１１１ａ〜１１５ａを介して折り重ねられた状態で、第１、第２アップリンク用ローラ１１１ａ、１１２ａの上側と接し、第３〜第５アップリンク用ローラ１１３ａ〜１１５ａの下側と接する。
【００２３】
第２アップリンク用ＬＡＮケーブル５１ａ２は、アップリンク用メス端子１４とハブ２０との間に固定接続されるＬＡＮケーブルである。
【００２４】
第１、第２アップリンク用ローラ１１１ａ、１１２ａは、第１アップリンク用ＬＡＮケーブル５１ａ１の収納及び引き出しに対応して、第２方向ｙに摺動自在に移動可能で且つ、回転可能なローラである。アップリンク用ケーブル収納部１１は、第１、第２アップリンク用ローラ１１１ａ、１１２ａの第２方向ｙへの移動に使用するガイドレール（不図示）を有する。
【００２５】
第３〜第５アップリンク用ローラ１１３ａ〜１１５ａは、第１アップリンク用ＬＡＮケーブル５１ａ１の収納及び引き出しに対応して回転可能なローラである。但し、第１、第２アップリンク用ローラ１１１ａ、１１２ａのように第２方向ｙの移動はしない。
【００２６】
第１アップリンク用ローラ１１１ａは、第２方向ｙから見て、第３アップリンク用ローラ１１３ａと第４アップリンク用ローラ１１４ａとの間に配置される。第２アップリンク用ローラ１１２ａは、第２方向ｙから見て、第４アップリンク用ローラ１１４ａと第５アップリンク用ローラ１１５ａとの間に配置される。
【００２７】
本実施形態では、第１アップリンク用ローラ１１１ａは、第２方向ｙから見て、第３アップリンク用ローラ１１３ａと第４アップリンク用ローラ１１４ａとのほぼ中間に配置され、第２アップリンク用ローラ１１１２ａは、第２方向ｙから見て、第４アップリンク用ローラ１１４ａと第５アップリンク用ローラ１１５ａとのほぼ中間に配置されるが、これには限られない。
【００２８】
例えば、図１４のように、第１アップリンク用ローラ１１１ａを、第３アップリンク用ローラ１１３ａ寄りに配置し、第２アップリンク用ローラ１１２ａを、第４アップリンク用ローラ１１４ａ寄りに配置してもよい。
【００２９】
また、第１アップリンク用ＬＡＮケーブル５１ａ１の第３アップリンク用ローラ１１３ａから第１アップリンク用ローラ１１１ａへ延びる部分は、第２方向ｙに平行でなくてもよい。図１４のように、第２方向ｙに平行でない形態にすれば、ローラの第３方向ｚの感覚を狭めることが可能になり、アップリンク用ケーブル収納部１１を小型化することが可能になる。
【００３０】
第３〜第５アップリンク用ローラ１１３ａ〜１１５ａは、第３アップリンク用ローラ１１３ａが外側（アップリンク用ケーブルロック部１２側）で第５アップリンク用ローラ１１５ａが内側（ハブ２０側）になるように、第３方向ｚに並べて配置される。第１〜第５アップリンク用ローラ１１１ａ〜１１５ａは、アップリンク用ケーブル収納部１１に収納できるケーブル長さを長くするために、小さい径に設定されるのが望ましい。
【００３１】
第１アップリンク用バネ１１１Ｓは、一端が第１アップリンク用ローラ１１１ａの回転しない部分（軸心など）に取り付けられ、他端がＬＡＮ接続装置１の上部に取り付けられたバネで、使用者による第１アップリンク用ＬＡＮケーブル５１ａ１の引き出し状態に応じて伸び縮みし、張架のために第１アップリンク用ローラ１１１ａ（及び第１アップリンク用ケーブル５１ａ１）を保持する。
【００３２】
第２アップリンク用バネ１１２Ｓは、一端が第２アップリンク用ローラ１１２ａの回転しない部分（軸心など）に取り付けられ、他端がＬＡＮ接続装置１の上部に取り付けられたバネで、使用者による第１アップリンク用ＬＡＮケーブル５１ａ１の引き出し状態に応じて伸び縮みし、張架のために第２アップリンク用ローラ１１２ａ（及び第１アップリンク用ケーブル５１ａ１）を保持する。
【００３３】
第１アップリンク用バネ１１１Ｓの第１アップリンク用バネ定数ｋｕ１は、第２アップリンク用バネ１１２Ｓの第２アップリンク用バネ定数ｋｕ２よりも小さく設定される。
【００３４】
アップリンク用ケーブル収納部１１は、第２方向ｙに移動可能なローラを２つ（第１、第２アップリンク用ローラ１１１ａ、１１２ａ）、及びバネを２組（第１、第２アップリンク用バネ１１１Ｓ、１１２Ｓ）を有するが、これらの数は２に限られず、１又は３以上であってもよい。複数組のバネを有する場合には、複数組のバネは、異なるバネ定数を有し、複数組みのバネのバネ定数は、配列順に大きくなるように設定される。
【００３５】
図４の状態において、第１アップリンク用ＬＡＮケーブル５１ａ１を介して第１、第２アップリンク用ローラ１１１ａ、１１２ａにかかる下向きの力は略同一であるが、第１アップリンク用バネ１１１Ｓの伸びは、第２アップリンク用バネ１１２Ｓの伸びよりも大きい。
【００３６】
第１、第２アップリンク用ローラ１１１ａ、１１２ａにかかる下向きの力は、略同一であるとして説明したが、第１〜第５アップリンク用ローラ１１１ａ〜１１５ａのトルク、摩擦力の影響により、第１アップリンク用ローラ１１１ａにかかる下向きの力の方が、第２アップリンク用ローラ１１２ａにかかる下向きの力よりも大きい。
【００３７】
但し、第１、第２アップリンク用バネ定数ｋｕ１、ｋｕ２は、同じでもよいし、第１アップリンク用バネ定数ｋｕ１が、第２アップリンク用バネ定数ｋｕ２よりも大きく設定されてもよい。
【００３８】
第１アップリンク用ＬＡＮケーブル５１ａ１が、ＬＡＮ接続装置１に収納された状態（図３参照）では、第１アップリンク用ＬＡＮケーブル５１ａ１は、自重を除いて第１、第２アップリンク用ローラ１１１ａ、１１２ａに殆ど力を加えない。そのため、第１、第２アップリンク用バネ１１１Ｓ、１１２Ｓは、伸び量の少ない状態（付勢力の小さい状態）で、アップリンク用ケーブル収納部１１の上部で第１、第２アップリンク用ローラ１１１ａ、１１２ａを保持する。第１、第２アップリンク用ローラ１１１ａ、１１２ａによって、第１アップリンク用ＬＡＮケーブル５１ａ１は、アップリンク用ケーブル収納部１１内に収納される。
【００３９】
第１アップリンク用ＬＡＮケーブル５１ａ１がＬＡＮ接続装置１から引き出された状態（図４参照）では、第１アップリンク用ＬＡＮケーブル５１ａ１は、自重に加えて第１、第２アップリンク用ローラ１１１ａ、１１２ａに第２方向ｙで且つ下向きの力を加える。そのため、第１、第２アップリンク用バネ１１１Ｓ、１１２Ｓは伸び、第１、第２アップリンク用ローラ１１１ａ、１１２ａは、アップリンク用ケーブル収納部１１の下方に移動せしめられる。第１アップリンク用ＬＡＮケーブル５１ａ１を引き出す力と第１、第２アップリンク用バネ１１１Ｓ、１１２Ｓの付勢力とが釣り合った所で第１、第２アップリンク用ローラ１１１ａ、１１２ａは保持される。
【００４０】
本実施形態では、ケーブル収納時に、ケーブル（第１アップリンク用ＬＡＮケーブル５１ａ１）を保持するローラ（第１、第２アップリンク用ローラ１１１ａ、１１２ａ）が、アップリンク用ケーブル収納部１１の上部に位置し、ケーブル引き出し時に、ローラが、アップリンク用ケーブル収納部１１の下部に移動するため、ケーブルを引き出す時にケーブルやローラの自重分だけ引き出す力を軽減することが可能になる（図８、９参照）。
【００４１】
別の実施形態として、ケーブル収納時に、ケーブルを保持するローラが、アップリンク用ケーブル収納部１１の下部に位置し、ケーブル引き出し時に、ローラが、アップリンク用ケーブル収納部１１の上部に移動する形態である場合には、ケーブルを引き出す時にケーブルやローラの自重分だけ引き出す力を増加させる必要があるが、収納時のバネ付勢力を軽減することが可能になる（図１０、１１参照）。
【００４２】
また、別の実施形態として、アップリンク用ケーブル収納部１１の上部のローラ（第１、第２アップリンク用ローラ１１１ａ、１１２ａ）、と下部のローラ（第３〜第５アップリンク用ローラ１１３ａ〜１１５ａ）の両方が、第２方向ｙに移動可能で、且つバネにより保持される形態が考えられる（図１２、１３参照）。この場合、ローラの自重分だけ引き出す力を増加させるローラ（下部のローラ）、軽減するローラ（上部のローラ）が存在するため、ケーブルを引き出す力は、ローラの自重による影響を殆ど受けない。この場合は、第４、第５アップリンク用ローラ１１４ａ、１１５ａにも、第４、第５アップリンク用バネ１１４Ｓ、１１５Ｓが取り付けられ、これらは、第２方向ｙに移動可能になる。第３アップリンク用ローラ１１３ａ、及び新たに加えられた第６アップリンク用ローラ１１６ａは、第２方向ｙの移動はしない。
【００４３】
第１アップリンク用ＬＡＮケーブル５１ａ１がＬＡＮ接続装置１から引き出された状態で、アップリンク用ケーブルロック部１２のロック機構をロック状態にすると、使用者による引き出す力を解除しても引き出された状態が保持される。
【００４４】
ロック状態にせずに引き出す力を解除すると、又は解除機構によりロック状態を解除すると、第１、第２アップリンク用バネ１１１Ｓ、１１２Ｓの付勢力により、第１、第２アップリンク用ローラ１１１ａ、１１２ａが第２方向ｙで且つ上方向に移動せしめられ、第１アップリンク用ＬＡＮケーブル５１ａ１は、アップリンク用ケーブル収納部１１内に収納される（図３の状態）。
【００４５】
ハブ２０は、ＬＡＮケーブルを分岐、中継するために使用される機器であり、アップリンク部１０、及びダウンリンク部３０と接続される。
【００４６】
ダウンリンク部３０は、ＬＡＮケーブルを介して、パソコンなどの通信回線の下り方向の通信機器と接続される。ダウンリンク部３０は、第１〜第４ダウンリンク用ケーブル収納部３１ｂ１〜３１ｂ４、第１〜第４ダウンリンク用ケーブルロック部３２ｂ１〜３２ｂ４、第１〜第４ダウンリンク用オス端子３３ｂ１〜３３ｂ４、第１〜第４ダウンリンク用ＬＡＮケーブル５１ｂ１〜５１ｂ４を有する（図５参照）。
【００４７】
第１〜第４ダウンリンク用ケーブル収納部３１ｂ１〜３１ｂ４は、第１方向ｘに並べて配置される。
【００４８】
第１ダウンリンク用ケーブル収納部３１ｂ１は、第１ダウンリンク用ＬＡＮケーブル５１ｂ１を、付勢力に抗して引き出し可能な状態で、付勢力により張架して収納する付勢部材で、第１〜第５ダウンリンク用ローラ３１１ｂ１〜３１５ｂ１、第１、第２ダウンリンク用バネ３１１Ｓ１、３１２Ｓ１を有する。
【００４９】
第２ダウンリンク用ケーブル収納部３１ｂ２は、第２ダウンリンク用ＬＡＮケーブル５１ｂ２を、付勢力に抗して引き出し可能な状態で、付勢力により張架して収納する付勢部材で、第６〜第１０ダウンリンク用ローラ３１１ｂ２〜３１５ｂ２、第３、第４ダウンリンク用バネ３１１Ｓ２、３１２Ｓ２を有する。
【００５０】
第３ダウンリンク用ケーブル収納部３１ｂ３は、第３ダウンリンク用ＬＡＮケーブル５１ｂ３を、付勢力に抗して引き出し可能な状態で、付勢力により張架して収納する付勢部材で、第１１〜第１５ダウンリンク用ローラ３１１ｂ３〜３１５ｂ３、第５、第６ダウンリンク用バネ３１１Ｓ３、３１２Ｓ３を有する。
【００５１】
第４ダウンリンク用ケーブル収納部３１ｂ４は、第４ダウンリンク用ＬＡＮケーブル５１ｂ４を、付勢力に抗して引き出し可能な状態で、付勢力により張架して収納する付勢部材で、第１６〜第２０ダウンリンク用ローラ３１１ｂ４〜３１５ｂ４、第５、第６ダウンリンク用バネ３１１Ｓ４、３１２Ｓ４を有する。
【００５２】
第１ダウンリンク用ケーブルロック部３２ｂ１は、第１、第２ダウンリンク用ローラ３１１ｂ１、３１２ｂ２、及び第１、第２ダウンリンク用バネ３１１Ｓ１、３１２Ｓ１による第２方向ｙの上方向への付勢力に対応した第１ダウンリンク用ＬＡＮケーブル５１ｂ１の収納動作、及び使用者が第１ダウンリンク用オス端子３３ｂ１、第１ダウンリンク用ＬＡＮケーブル５１ｂ１の少なくとも一方を引っ張り出すことによる第１ダウンリンク用ＬＡＮケーブル５１ｂ１の引き出し動作を止めるロック機構（不図示）と、ロック機構によるロック状態を解除する解除機構（不図示）を有する。ロック機構は、第１ダウンリンク用ＬＡＮケーブル５１ｂ１を挟み込む機構などである。
【００５３】
第２ダウンリンク用ケーブルロック部３２ｂ２は、第６、第７ダウンリンク用ローラ３１１ｂ２、３１２ｂ２、及び第３、第４ダウンリンク用バネ３１１Ｓ２、３１２Ｓ２による第２方向ｙの上方向への付勢力に対応した第２ダウンリンク用ＬＡＮケーブル５１ｂ２の収納動作、及び使用者が第２ダウンリンク用オス端子３３ｂ２、第２ダウンリンク用ＬＡＮケーブル５１ｂ２の少なくとも一方を引っ張り出すことによる第２ダウンリンク用ＬＡＮケーブル５１ｂ２の引き出し動作を止めるロック機構（不図示）と、ロック機構によるロック状態を解除する解除機構（不図示）を有する。ロック機構は、第２ダウンリンク用ＬＡＮケーブル５１ｂ２を挟み込む機構などである。
【００５４】
第３ダウンリンク用ケーブルロック部３２ｂ３は、第１１、第１２ダウンリンク用ローラ３１１ｂ３、３１２ｂ３、及び第５、第６ダウンリンク用バネ３１１Ｓ３、３１２Ｓ３による第２方向ｙの上方向への付勢力に対応した第３ダウンリンク用ＬＡＮケーブル５１ｂ３の収納動作、及び使用者が第３ダウンリンク用オス端子３３ｂ３、第３ダウンリンク用ＬＡＮケーブル５１ｂ３の少なくとも一方を引っ張り出すことによる第３ダウンリンク用ＬＡＮケーブル５１ｂ３の引き出し動作を止めるロック機構（不図示）と、ロック機構によるロック状態を解除する解除機構（不図示）を有する。ロック機構は、第３ダウンリンク用ＬＡＮケーブル５１ｂ３を挟み込む機構などである。
【００５５】
第４ダウンリンク用ケーブルロック部３２ｂ４は、第１６、第１７ダウンリンク用ローラ３１１ｂ４、３１２ｂ４、及び第７、第８ダウンリンク用バネ３１１Ｓ４、３１２Ｓ４による第２方向ｙの上方向への付勢力に対応した第４ダウンリンク用ＬＡＮケーブル５１ｂ４の収納動作、及び使用者が第４ダウンリンク用オス端子３３ｂ４、第４ダウンリンク用ＬＡＮケーブル５１ｂ４の少なくとも一方を引っ張り出すことによる第４ダウンリンク用ＬＡＮケーブル５１ｂ４の引き出し動作を止めるロック機構（不図示）と、ロック機構によるロック状態を解除する解除機構（不図示）を有する。ロック機構は、第４ダウンリンク用ＬＡＮケーブル５１ｂ４を挟み込む機構などである。
【００５６】
第１〜第４ダウンリンク用オス端子３３ｂ１〜３３ｂ４は、パソコンなどの通信回線の下り方向の通信機器のメス端子と接続される。このとき、第１〜第４ダウンリンク用ＬＡＮケーブル５１ａ１〜５１ｂ４は、ＬＡＮ接続装置１と各通信機器との距離と略同一分だけ第１ダウンリンク用ケーブル収納部３１ｂ１〜３１ｂ４から引き出しされる。
【００５７】
第１ダウンリンク用ＬＡＮケーブル５１ｂ１は、ＬＡＮ接続装置１から引き出し及びＬＡＮ接続装置１に収納可能なＬＡＮケーブルで、第１ダウンリンク用ローラ３１１ｂ１などによる収納を効果的に行うため、薄い平型形状を有するのが望ましい。第１ダウンリンク用ＬＡＮケーブル５１ｂ１は、収納及び引き出し時に第１ダウンリンク用ローラ３１１ｂ１などが摺動自在に回転及び第２方向ｙの移動が出来る程度の固さを有する。
【００５８】
第２ダウンリンク用ＬＡＮケーブル５１ｂ２は、ＬＡＮ接続装置１から引き出し及びＬＡＮ接続装置１に収納可能なＬＡＮケーブルで、第６ダウンリンク用ローラ３１１ｂ２などによる収納を効果的に行うため、薄い平型形状を有するのが望ましい。第２ダウンリンク用ＬＡＮケーブル５１ｂ２は、収納及び引き出し時に第６ダウンリンク用ローラ３１１ｂ２などが摺動自在に回転及び第２方向ｙの移動が出来る程度の固さを有する。
【００５９】
第３ダウンリンク用ＬＡＮケーブル５１ｂ３は、ＬＡＮ接続装置１から引き出し及びＬＡＮ接続装置１に収納可能なＬＡＮケーブルで、第１１ダウンリンク用ローラ３１１ｂ３などによる収納を効果的に行うため、薄い平型形状を有するのが望ましい。第３ダウンリンク用ＬＡＮケーブル５１ｂ３は、収納及び引き出し時に第１１ダウンリンク用ローラ３１１ｂ３などが摺動自在に回転及び第２方向ｙの移動が出来る程度の固さを有する。
【００６０】
第４ダウンリンク用ＬＡＮケーブル５１ｂ４は、ＬＡＮ接続装置１から引き出し及びＬＡＮ接続装置１に収納可能なＬＡＮケーブルで、第１６ダウンリンク用ローラ３１１ｂ４などによる収納を効果的に行うため、薄い平型形状を有するのが望ましい。第４ダウンリンク用ＬＡＮケーブル５１ｂ４は、収納及び引き出し時に第１６ダウンリンク用ローラ３１１ｂ４などが摺動自在に回転及び第２方向ｙの移動が出来る程度の固さを有する。
【００６１】
第１ダウンリンク用ＬＡＮケーブル５１ｂ１は、第１〜第５ダウンリンク用ローラ３１１ｂ１〜３１５ｂ１に張架され、第１〜第５ダウンリンク用ローラ３１１ｂ１〜３１５ｂ１を介して折り重ねられた状態で、第１、第２ダウンリンク用ローラ３１１ｂ１、３１２ｂ１の上側と接し、第３〜第５ダウンリンク用ローラ３１３ｂ１〜３１５ｂ１の下側と接する。
【００６２】
第２ダウンリンク用ＬＡＮケーブル５１ｂ２は、第６〜第１０ダウンリンク用ローラ３１１ｂ２〜３１５ｂ２に張架され、第６〜第１０ダウンリンク用ローラ３１１ｂ２〜３１５ｂ２を介して折り重ねられた状態で、第６、第７ダウンリンク用ローラ３１１ｂ２、３１２ｂ２の上側と接し、第８〜第１０ダウンリンク用ローラ３１３ｂ２〜３１５ｂ２の下側と接する。
【００６３】
第３ダウンリンク用ＬＡＮケーブル５１ｂ３は、第１１〜第１５ダウンリンク用ローラ３１１ｂ３〜３１５ｂ３に張架され、第１１〜第１５ダウンリンク用ローラ３１１ｂ４〜３１５ｂ４を介して折り重ねられた状態で、第１１、第１２ダウンリンク用ローラ３１１ｂ３、３１２ｂ３の上側と接し、第１３〜第１５ダウンリンク用ローラ３１３ｂ３〜３１５ｂ３の下側と接する。
【００６４】
第４ダウンリンク用ＬＡＮケーブル５１ｂ４は、第１６〜第２０ダウンリンク用ローラ３１１ｂ４〜３１５ｂ４に張架され、第１６〜第２０ダウンリンク用ローラ３１１ｂ４〜３１５ｂ４を介して折り重ねられた状態で、第１６、第１７ダウンリンク用ローラ３１１ｂ４、３１２ｂ４の上側と接し、第１８〜第２０ダウンリンク用ローラ３１３ｂ４〜３１５ｂ４の下側と接する。
【００６５】
第１、第２ダウンリンク用ローラ３１１ｂ１、３１２ｂ１は、第１ダウンリンク用ＬＡＮケーブル５１ｂ１の収納及び引き出しに対応して、第２方向ｙに摺動自在に移動可能で且つ、回転可能なローラである。第１ダウンリンク用ケーブル収納部３１ｂ１は、第１、第２ダウンリンク用ローラ３１１ｂ１、３１２ｂ１の第２方向ｙへの移動に使用するガイドレール（不図示）を有する。
【００６６】
第６、第７ダウンリンク用ローラ３１１ｂ２、３１２ｂ２は、第２ダウンリンク用ＬＡＮケーブル５１ｂ２の収納及び引き出しに対応して、第２方向ｙに摺動自在に移動可能で且つ、回転可能なローラである。第２ダウンリンク用ケーブル収納部３１ｂ２は、第６、第７ダウンリンク用ローラ３１１ｂ２、３１２ｂ２の第２方向ｙへの移動に使用するガイドレール（不図示）を有する。
【００６７】
第１１、第１２ダウンリンク用ローラ３１１ｂ３、３１２ｂ３は、第３ダウンリンク用ＬＡＮケーブル５１ｂ３の収納及び引き出しに対応して、第２方向ｙに摺動自在に移動可能で且つ、回転可能なローラである。第３ダウンリンク用ケーブル収納部３１ｂ３は、第１１、第１２ダウンリンク用ローラ３１１ｂ３、３１２ｂ３の第２方向ｙへの移動に使用するガイドレール（不図示）を有する。
【００６８】
第１６、第１７ダウンリンク用ローラ３１１ｂ４、３１２ｂ４は、第４ダウンリンク用ＬＡＮケーブル５１ｂ４の収納及び引き出しに対応して、第２方向ｙに摺動自在に移動可能で且つ、回転可能なローラである。第４ダウンリンク用ケーブル収納部３１ｂ４は、第１６、第１７ダウンリンク用ローラ３１１ｂ４、３１２ｂ４の第２方向ｙへの移動に使用するガイドレール（不図示）を有する。
【００６９】
第３〜第５ダウンリンク用ローラ３１３ｂ１〜３１５ｂ１は、第１ダウンリンク用ＬＡＮケーブル５１ｂ１の収納及び引き出しに対応して回転可能なローラである。但し、第１、第２ダウンリンク用ローラ３１１ｂ１、３１２ｂ１のように第２方向ｙの移動はしない。
【００７０】
第８〜第１０ダウンリンク用ローラ３１３ｂ２〜３１５ｂ２は、第２ダウンリンク用ＬＡＮケーブル５１ｂ２の収納及び引き出しに対応して回転可能なローラである。但し、第６、第７ダウンリンク用ローラ３１１ｂ２、３１２ｂ２のように第２方向ｙの移動はしない。
【００７１】
第１３〜第１５ダウンリンク用ローラ３１３ｂ３〜３１５ｂ３は、第３ダウンリンク用ＬＡＮケーブル５１ｂ３の収納及び引き出しに対応して回転可能なローラである。但し、第１１、第１２ダウンリンク用ローラ３１１ｂ３、３１２ｂ３のように第２方向ｙの移動はしない。
【００７２】
第１８〜第２０ダウンリンク用ローラ３１３ｂ４〜３１５ｂ４は、第４ダウンリンク用ＬＡＮケーブル５１ｂ４の収納及び引き出しに対応して回転可能なローラである。但し、第１６、第１７ダウンリンク用ローラ３１１ｂ４、３１２ｂ４のように第２方向ｙの移動はしない。
【００７３】
第１ダウンリンク用ローラ３１１ｂ１は、第２方向ｙから見て、第３ダウンリンク用ローラ３１３ｂ１と第４ダウンリンク用ローラ３１４ｂ１との間に配置される。第２ダウンリンク用ローラ３１２ｂ１は、第２方向ｙから見て、第４ダウンリンク用ローラ３１４ｂ１と第５ダウンリンク用ローラ３１５ｂ１との間に配置される。
【００７４】
第６ダウンリンク用ローラ３１１ｂ２は、第２方向ｙから見て、第８ダウンリンク用ローラ３１３ｂ２と第９ダウンリンク用ローラ３１４ｂ２との間に配置される。第７ダウンリンク用ローラ３１２ｂ２は、第２方向ｙから見て、第９ダウンリンク用ローラ３１４ｂ２と第１０ダウンリンク用ローラ３１５ｂ２との間に配置される。
【００７５】
第１１ダウンリンク用ローラ３１１ｂ３は、第２方向ｙから見て、第１３ダウンリンク用ローラ３１３ｂ３と第１４ダウンリンク用ローラ３１４ｂ３との間に配置される。第１２ダウンリンク用ローラ３１２ｂ３は、第２方向ｙから見て、第１４ダウンリンク用ローラ３１４ｂ３と第１５ダウンリンク用ローラ３１５ｂ３との間に配置される。
【００７６】
第１６ダウンリンク用ローラ３１１ｂ４は、第２方向ｙから見て、第１８ダウンリンク用ローラ３１３ｂ４と第１９ダウンリンク用ローラ３１４ｂ４との間に配置される。第１７ダウンリンク用ローラ３１２ｂ４は、第２方向ｙから見て、第１９ダウンリンク用ローラ３１４ｂ４と第２０ダウンリンク用ローラ３１５ｂ４との間に配置される。
【００７７】
第３〜第５ダウンリンク用ローラ３１３ｂ１〜３１５ｂ１は、第３ダウンリンク用ローラ３１３ｂ１が外側（第１ダウンリンク用ケーブルロック部３２ｂ１側）で第５ダウンリンク用ローラ３１５ｂ１が内側（ハブ２０側）になるように、第３方向ｚに並べて配置される。第１〜第５ダウンリンク用ローラ３１１ｂ１〜３１５ｂ１は、第１ダウンリンク用ケーブル収納部３１ｂ１に収納できるケーブル長さを長くするために、小さい径に設定されるのが望ましい。
【００７８】
第８〜第１０ダウンリンク用ローラ３１３ｂ２〜３１５ｂ２は、第８ダウンリンク用ローラ３１３ｂ２が外側（第２ダウンリンク用ケーブルロック部３２ｂ２側）で第１０ダウンリンク用ローラ３１５ｂ２が内側（ハブ２０側）になるように、第３方向ｚに並べて配置される。第６〜第１０ダウンリンク用ローラ３１１ｂ２〜３１５ｂ２は、第２ダウンリンク用ケーブル収納部３１ｂ２に収納できるケーブル長さを長くするために、小さい径に設定されるのが望ましい。
【００７９】
第１３〜第１５ダウンリンク用ローラ３１３ｂ３〜３１５ｂ３は、第１３ダウンリンク用ローラ３１３ｂ３が外側（第３ダウンリンク用ケーブルロック部３２ｂ３側）で第１５ダウンリンク用ローラ３１５ｂ３が内側（ハブ２０側）になるように、第３方向ｚに並べて配置される。第１１〜第１５ダウンリンク用ローラ３１１ｂ３〜３１５ｂ３は、第３ダウンリンク用ケーブル収納部３１ｂ３に収納できるケーブル長さを長くするために、小さい径に設定されるのが望ましい。
【００８０】
第１８〜第２０ダウンリンク用ローラ３１３ｂ４〜３１５ｂ４は、第１８ダウンリンク用ローラ３１３ｂ４が外側（第４ダウンリンク用ケーブルロック部３２ｂ４側）で第２０ダウンリンク用ローラ３１５ｂ４が内側（ハブ２０側）になるように、第３方向ｚに並べて配置される。第１６〜第２０ダウンリンク用ローラ３１１ｂ４〜３１５ｂ４は、第４ダウンリンク用ケーブル収納部３１ｂ４に収納できるケーブル長さを長くするために、小さい径に設定されるのが望ましい。
【００８１】
第１ダウンリンク用バネ３１１Ｓ１は、一端が第１ダウンリンク用ローラ３１１ｂ１の回転しない部分（軸心など）に取り付けられ、他端がＬＡＮ接続装置１の上部に取り付けられたバネで、使用者による第１ダウンリンク用ＬＡＮケーブル５１ｂ１の引き出し状態に応じて伸び縮みし、第１ダウンリンク用ローラ３１１ｂ１（及び第１ダウンリンク用ケーブル５１ｂ１）を保持する。
【００８２】
第２ダウンリンク用バネ３１２Ｓ１は、一端が第２ダウンリンク用ローラ３１２ｂ１の回転しない部分（軸心など）に取り付けられ、他端がＬＡＮ接続装置１の上部に取り付けられたバネで、使用者による第１ダウンリンク用ＬＡＮケーブル５１ｂ１の引き出し状態に応じて伸び縮みし、張架のために第２ダウンリンク用ローラ３１２ｂ１（及び第１ダウンリンク用ケーブル５１ｂ１）を保持する。
【００８３】
第３ダウンリンク用バネ３１１Ｓ２は、一端が第６ダウンリンク用ローラ３１１ｂ２の回転しない部分（軸心など）に取り付けられ、他端がＬＡＮ接続装置１の上部に取り付けられたバネで、使用者による第２ダウンリンク用ＬＡＮケーブル５１ｂ２の引き出し状態に応じて伸び縮みし、張架のために第６ダウンリンク用ローラ３１１ｂ２（及び第２ダウンリンク用ケーブル５１ｂ２）を保持する。
【００８４】
第４ダウンリンク用バネ３１２Ｓ２は、一端が第７ダウンリンク用ローラ３１２ｂ２の回転しない部分（軸心など）に取り付けられ、他端がＬＡＮ接続装置１の上部に取り付けられたバネで、使用者による第２ダウンリンク用ＬＡＮケーブル５１ｂ２の引き出し状態に応じて伸び縮みし、張架のために第７ダウンリンク用ローラ３１２ｂ２（及び第２ダウンリンク用ケーブル５１ｂ２）を保持する。
【００８５】
第５ダウンリンク用バネ３１１Ｓ３は、一端が第１１ダウンリンク用ローラ３１１ｂ３の回転しない部分（軸心など）に取り付けられ、他端がＬＡＮ接続装置１の上部に取り付けられたバネで、使用者による第３ダウンリンク用ＬＡＮケーブル５１ｂ３の引き出し状態に応じて伸び縮みし、張架のために第１１ダウンリンク用ローラ３１１ｂ３（及び第３ダウンリンク用ケーブル５１ｂ３）を保持する。
【００８６】
第６ダウンリンク用バネ３１２Ｓ３は、一端が第１２ダウンリンク用ローラ３１２ｂ３の回転しない部分（軸心など）に取り付けられ、他端がＬＡＮ接続装置１の上部に取り付けられたバネで、使用者による第３ダウンリンク用ＬＡＮケーブル５１ｂ３の引き出し状態に応じて伸び縮みし、張架のために第１２ダウンリンク用ローラ３１２ｂ３（及び第３ダウンリンク用ケーブル５１ｂ３）を保持する。
【００８７】
第７ダウンリンク用バネ３１１Ｓ４は、一端が第１６ダウンリンク用ローラ３１１ｂ４の回転しない部分（軸心など）に取り付けられ、他端がＬＡＮ接続装置１の上部に取り付けられたバネで、使用者による第４ダウンリンク用ＬＡＮケーブル５１ｂ４の引き出し状態に応じて伸び縮みし、張架のために第１６ダウンリンク用ローラ３１１ｂ４（及び第４ダウンリンク用ケーブル５１ｂ４）を保持する。
【００８８】
第８ダウンリンク用バネ３１２Ｓ４は、一端が第１７ダウンリンク用ローラ３１２ｂ４の回転しない部分（軸心など）に取り付けられ、他端がＬＡＮ接続装置１の上部に取り付けられたバネで、使用者による第４ダウンリンク用ＬＡＮケーブル５１ｂ４の引き出し状態に応じて伸び縮みし、張架のために第１７ダウンリンク用ローラ３１２ｂ４（及び第４ダウンリンク用ケーブル５１ｂ４）を保持する。
【００８９】
第１ダウンリンク用バネ３１１Ｓ１の第１ダウンリンク用バネ定数ｋｄ１は、第２ダウンリンク用バネ３１２Ｓ１の第２ダウンリンク用バネ定数ｋｄ２よりも小さく設定される。
【００９０】
第３ダウンリンク用バネ３１１Ｓ２の第３ダウンリンク用バネ定数ｋｄ３は、第４ダウンリンク用バネ３１２Ｓ２の第４ダウンリンク用バネ定数ｋｄ４よりも小さく設定される。
【００９１】
第５ダウンリンク用バネ３１１Ｓ３の第５ダウンリンク用バネ定数ｋｄ５は、第６ダウンリンク用バネ３１２Ｓ３の第６ダウンリンク用バネ定数ｋｄ６よりも小さく設定される。
【００９２】
第７ダウンリンク用バネ３１１Ｓ４の第７ダウンリンク用バネ定数ｋｄ７は、第８ダウンリンク用バネ３１２Ｓ４の第４ダウンリンク用バネ定数ｋｄ８よりも小さく設定される。
【００９３】
第１〜第４ダウンリンク用ケーブル収納部３１ｂ１〜３１ｂ４は、第２方向ｙに移動可能なローラを２つずつ（第１、第２ダウンリンク用ローラ３１１ｂ１、３１２ｂ１など）、及びバネを２組（第１、第２ダウンリンク用バネ３１１Ｓ１、３１２Ｓ１など）を有するが、これらの数は２に限られず、１又は３以上であってもよい。複数組のバネを有する場合には、複数組のバネは、異なるバネ定数を有し、複数組みのバネのバネ定数は、配列順に大きくなるように設定される。
【００９４】
図７の状態において、第２ダウンリンク用ＬＡＮケーブル５１ｂ２を介して第６、第７ダウンリンク用ローラ３１１ｂ２、３１２ｂ２にかかる下向きの力は略同一であるが、第６ダウンリンク用バネ３１１Ｓ２の伸びは、第７ダウンリンク用バネ３１２Ｓ２の伸びよりも大きい。
【００９５】
第６、第７アップリンク用ローラ３１１ｂ２、３１２ｂ２にかかる下向きの力は、略同一であるとして説明したが、第６〜第１０アップリンク用ローラ３１１ｂ２〜３１５ｂ２のトルク、摩擦力の影響により、第６アップリンク用ローラ３１１ｂ２にかかる下向きの力の方が、第７アップリンク用ローラ３１２ｂ２にかかる下向きの力よりも大きい。
【００９６】
但し、第１、第２ダウンリンク用バネ定数ｋｄ１、ｋｄ２は、同じでもよいし、第１ダウンリンク用バネ定数ｋｄ１が、第２ダウンリンク用バネ定数ｋｄ２よりも大きく設定されてもよい。第３、第４ダウンリンク用バネ定数ｋｄ３、ｋｄ４の関係、第５、第６ダウンリンク用バネ定数ｋｄ５、ｋｄ６の関係、及び第７、第８ダウンリンク用バネ定数ｋｄ７、ｋｄ８の関係も同様である。
【００９７】
第１〜第４ダウンリンク用ＬＡＮケーブル５１ｂ１〜５１ｂ４が、ＬＡＮ接続装置１の第１〜第４ダウンリンク用ケーブル収納部３１ｂ１〜３１ｂ４に収納される形態、及び第１〜第４ダウンリンク用ケーブル収納部３１ｂ１〜３１ｂ４から引き出しされる形態は、第１アップリンク用ＬＡＮケーブル５１ａ１が、ＬＡＮ接続装置１のアップリンク用ケーブル収納部１１に収納される形態、及びアップリンク用ケーブル収納部１１から引き出しされる形態と同じである。
【００９８】
第４ダウンリンク用ＬＡＮケーブル５１ｂ４が、ＬＡＮ接続装置１に収納された状態（図６参照）では、第４ダウンリンク用ＬＡＮケーブル５１ｂ４は、自重を除いて第１６、第１７ダウンリンク用ローラ３１１ｂ４、３１２ｂ４に殆ど力を加えない。そのため、第１６、第１７ダウンリンク用バネ３１１Ｓ４、３１２Ｓ４は、伸び量の少ない状態で、第１６、第１７ダウンリンク用ローラ３１１ｂ４、３１２ｂ４を付勢して、第４ダウンリンク用ケーブル収納部３１ｂ４の上部で第１６、第１７ダウンリンク用ローラ３１１ｂ４、３１２ｂ４を保持する。第１６、第１７ダウンリンク用ローラ３１１ｂ４、３１２ｂ４によって、第４ダウンリンク用ＬＡＮケーブル５１ｂ４は、第４ダウンリンク用ケーブル収納部３１ｂ４内に収納される。
【００９９】
第４ダウンリンク用ＬＡＮケーブル５１ｂ４がＬＡＮ接続装置１から引き出された状態（図７参照）では、第４ダウンリンク用ＬＡＮケーブル５１ｂ４は、自重に加えて第１６、第１７ダウンリンク用ローラ３１１ｂ４、３１２ｂ４に第２方向ｙで且つ下向きの力を加える。そのため、第１６、第１７ダウンリンク用バネ３１１Ｓ４、３１２Ｓ４は伸び、第１６、第１７ダウンリンク用ローラ３１１ｂ４、３１２ｂ４は、第４ダウンリンク用ケーブル収納部３１ｂ４の下方に移動せしめられる。第４ダウンリンク用ＬＡＮケーブル５１ｂ４を引き出す力と第１６、第１７ダウンリンク用バネ３１１Ｓ４、３１２Ｓ４の付勢力とが釣り合った所で第１６、第１７ダウンリンク用ローラ３１１ｂ４、３１２ｂ４は保持される。
【０１００】
第４ダウンリンク用ＬＡＮケーブル５１ｂ４がＬＡＮ接続装置１から引き出された状態で、第４ダウンリンク用ケーブルロック部３２ｂ４のロック機構をロック状態にすると、使用者による引き出す力を解除しても引き出された状態が保持される。
【０１０１】
ロック状態にせずに引き出す力を解除すると、又は解除機構によりロック状態を解除すると、第１６、第１７ダウンリンク用バネ３１１Ｓ４、３１２Ｓ４の付勢力により、第１６、第１７ダウンリンク用ローラ３１１ｂ４、３１２ｂ４が第２方向ｙで且つ上方向に移動せしめられ、第４ダウンリンク用ＬＡＮケーブル５１ｂ４は、第４ダウンリンク用ケーブル収納部３１ｂ４内に収納される（図６の状態）。
【０１０２】
本実施形態では、ＬＡＮ接続装置１は、通信機器と接続するためのＬＡＮケーブルが内蔵されているため、別体のＬＡＮケーブルを用意する必要がない。また、ＬＡＮ接続装置１から引き出すケーブルの長さはロック機構などによって調整できるため、通信機器との間の配線を簡素化することが出来る。
【０１０３】
ケーブルの収納は、ローラや付勢部材を用いて、ケーブルを折り重ねる形態であるため、ローラ間の第２方向ｙの長さやローラの数を調節することによりケーブル収納部を適当な形状にすることが可能になる（収納部の形状の自由度が高い）。
【０１０４】
本実施形態では、バネとローラによる付勢部材の形態を説明したが、バネとローラとてこによる付勢部材の形態であってもよい。例えば、アップリンク用ケーブル収納部１１が、第１アップリンク用ローラ１１１ａと第１アップリンク用バネ１１１Ｓとの間に、第１アップリンク用てこ１１１Ｌを、第２アップリンク用ローラ１１２ａと第２アップリンク用バネ１１２Ｓとの間に、第２アップリンク用てこ１１２Ｌを有する形態が上げられる（図１５、１６参照）。この場合、第１、第２アップリンク用バネ１１１Ｓ、１１２Ｓは圧縮バネである。この形態の場合には、てこの原理を利用することにより、バネの伸び縮み量を少なくすることが可能になる。
【０１０５】
本実施形態では、アップリンク用のＬＡＮケーブルとダウンリンク用のＬＡＮケーブルを別々に設ける形態を説明したが、別々に設けない形態であってもよい。この場合は、ハブ２０内でアップリンク用かダウンリンク用かが判別される。
【０１０６】
バネによるローラの保持は、本実施形態のような引っ張りによるものに限られず、圧縮によるものであってもよい。
【０１０７】
ケーブルを掛け渡すローラは、本実施形態のような回転可能なものに限られず、回転せずにケーブルを滑らかに移動可能な状態にするものであってもよい。
【０１０８】
ローラの保持は、本実施形態のようなバネによるものに限られず、形状記憶材料のような他の伸縮部材、又はローラを保持しながら移動させるモータなどの電動部材であってもよい。
【０１０９】
また、ハブ機能を省略してＬＡＮケーブルの収納装置としてもよい。アップリンク用ケーブル収納部１１と、第１ダウンリンク用ケーブル収納部３１ｂ１を、ハブ２０を介さずに接続させた形態（第１アップリンク用ＬＡＮケーブル５１ａ１と第１ダウンリンク用ＬＡＮケーブル５１ｂ１との接続部分６０は固定される）が挙げられる（図１７参照）。この場合、アップリンク部分のケーブル引き出し量と、ダウンリンク部分のケーブル引き出し量は独立して調整できるため、ケーブルを収納する部分（アップリンク用ケーブル収納部１１、及び第１ダウンリンク用ケーブル収納部３１ｂ１）を動かすことなく、ケーブルの引き出し量を調整できる。
【０１１０】
本実施形態におけるケーブル収納装置は、ＬＡＮケーブルの収納に限られるものではない。
【図面の簡単な説明】
【０１１１】
【図１】本実施形態におけるＬＡＮ接続装置のブロック図である。
【図２】ＬＡＮ接続装置内部の構成で、アップリンク部、及びハブを示す斜視図である。
【図３】ＬＡＮ接続装置内部の構成で、アップリンク用ケーブル収納部の詳細を示す斜視図である。
【図４】図３の状態から、アップリンク用ケーブルを引き出しした状態を示す斜視図である。
【図５】ＬＡＮ接続装置内部の構成で、ハブ、及びダウンリンク部を示す斜視図である。
【図６】ＬＡＮ接続装置内部の構成で、第１〜第４ダウンリンク用ケーブル収納部の詳細を示す斜視図である。
【図７】図６の状態から、第２、第４ダウンリンク用ケーブルを引き出しした状態を示す斜視図である。
【図８】図３の状態で、アップリンク用ケーブル収納部の第１アップリンク用ＬＡＮケーブルがある部分を、第１方向から見た図である。
【図９】図４の状態で、アップリンク用ケーブル収納部の第１アップリンク用ＬＡＮケーブルがある部分を、第１方向から見た図である。
【図１０】ケーブル収納時に、ケーブルを保持するローラが、アップリンク用ケーブル収納部の下部に位置し、ケーブル引き出し時に、ローラが、アップリンク用ケーブル収納部の上部に移動する形態における、アップリンク用ケーブル収納部の第１アップリンク用ＬＡＮケーブルがある部分を、第１方向から見た図である。
【図１１】図１０の状態から、アップリンク用ケーブルを引き出しした状態を示す図である。
【図１２】アップリンク用ケーブル収納部の上部のローラと下部のローラの両方が、第２方向ｙに移動可能で、且つバネにより保持される形態における、アップリンク用ケーブル収納部の第１アップリンク用ＬＡＮケーブルがある部分を、第１方向から見た図である。
【図１３】図１２の状態から、アップリンク用ケーブルを引き出しした状態を示す図である。
【図１４】第１〜第５アップリンク用ローラの位置関係を変えた形態であり、アップリンク用ケーブル収納部の第１アップリンク用ＬＡＮケーブルがある部分を、第１方向から見た図である。
【図１５】てこを使った形態であり、アップリンク用ケーブル収納部の第１アップリンク用ＬＡＮケーブルがある部分を、第１方向から見た図である。
【図１６】図１５の状態から、アップリンク用ケーブルを引き出しした状態を示す図である。
【図１７】アップリンク用ケーブル収納部と、第１ダウンリンク用ケーブル収納部とを直接接続させたＬＡＮ接続装置を、第１方向から見た図である。
【符号の説明】
【０１１２】
１  ＬＡＮ接続装置
１０  アップリンク部
１１  アップリンク用ケーブル収納部
１２  アップリンク用ケーブルロック部
１３  アップリンク用オス端子
１４  アップリンク用メス端子
１１１ａ〜１１５ａ  第１〜第５アップリンク用ローラ
１１６ａ  第６アップリンク用ローラ
１１１Ｌ、１１２Ｌ  第１、第２アップリンク用てこ
１１１Ｓ、１１２Ｓ  第１、第２アップリンク用バネ
１１４Ｓ、１１５Ｓ  第４、第５アップリンク用バネ
２０  ハブ
３０  ダウンリンク部
３１ｂ１〜３１ｂ４  第１〜第４ダウンリンク用ケーブル収納部
３２ｂ１〜３２ｂ４  第１〜第４ダウンリンク用ケーブルロック部
３３ｂ１〜３３ｂ４  第１〜第４ダウンリンク用オス端子
３１１ｂ１〜３１５ｂ１  第１〜第５ダウンリンク用ローラ
３１１ｂ２〜３１５ｂ２  第６〜第１０ダウンリンク用ローラ
３１１ｂ３〜３１５ｂ３  第１１〜第１５ダウンリンク用ローラ
３１１ｂ４〜３１５ｂ４  第１６〜第２０ダウンリンク用ローラ
３１１Ｓ１、３１２Ｓ１  第１、第２ダウンリンク用バネ
３１１Ｓ２、３１２Ｓ２  第３、第４ダウンリンク用バネ
３１１Ｓ３、３１２Ｓ３  第５、第６ダウンリンク用バネ
３１１Ｓ４、３１２Ｓ４  第７、第８ダウンリンク用バネ
５１ａ１、５１ａ２  第１、第２アップリンク用ＬＡＮケーブル
５１ｂ１〜５１ｂ４  第１〜第４ダウンリンク用ＬＡＮケーブル
６０  接続部分
【図１】
2007308277.tif 000003
【図２】
2007308277.tif 000004
【図３】
2007308277.tif 000005
【図４】
2007308277.tif 000006
【図５】
2007308277.tif 000007
【図６】
2007308277.tif 000008
【図７】
2007308277.tif 000009
【図８】
2007308277.tif 000010
【図９】
2007308277.tif 000011
【図１０】
2007308277.tif 000012
【図１１】
2007308277.tif 000013
【図１２】
2007308277.tif 000014
【図１３】
2007308277.tif 000015
【図１４】
2007308277.tif 000016
【図１５】
2007308277.tif 000017
【図１６】
2007308277.tif 000018
【図１７】
2007308277.tif 000019